(57)【要約】【課題】  容器の外径が比較的大となった場合であっても、その容器の外周部を容易にかつ確実に片手で持つことができること。【解決手段】  側部１０ＳＷの外周部には、円周方向に沿って所定の間隔で形成される互いに形状が異なる２種類の縦リブ１０ｒａｉ、１０ｒｂｉと、縦リブ１０ｒａｉ、１０ｒｂｉに交差し円周方向に全周にわたり延在する横リブ１０Ｂ，１０Ｃ，１０Ｄとが隆起するように形成され、縦リブ１０ｒａｉは、所定の間隔をもって２箇所に指が掛けられる切欠部１２を有するもの。【選択図】図１
2014034419.tif 000002
【特許請求の範囲】
【請求項１】
開口端を有し内容物を収容する収容部と、該収容部を形成する円筒状の側部と、該開口端に向かい合う該収容部の他端を該側部と一体に形成する底部と、を備え、
前記側部の外周部は、指が掛けられる切欠部が少なくとも１箇所に形成される縦リブを円周方向に沿って複数箇所に有することを特徴とする食品用容器。
【請求項２】
前記縦リブは、所定の間隔をもって２箇所に前記切欠部を有することを特徴とする請求項１記載の食品用容器。
【請求項３】
隣接する前記縦リブは、それぞれ、異なる深さの切欠部を有することを特徴とする請求項２記載の食品用容器。
【請求項４】
隣接する前記縦リブは、それぞれ、同一形状の切欠部を互いに異なる位置に有することを特徴とする請求項１記載の食品用容器。
【発明の詳細な説明】
【技術分野】
【０００１】
本発明は、食品用容器に関する。
【背景技術】
【０００２】
インスタント食品やその他の熱い食品の容器は、断熱性に優れた構造を有している。そのような容器としては、例えば特許文献１〜４にも示されるように、容器の側部の外周部に複数の縦リブが形成されているものがある。これらの縦リブは、容器の側部の円周方向に沿って所定の間隔で形成されている。
【０００３】
また、特許文献５にも示されるように、縦溝と、隣接する縦溝相互間に形成される平板部とを、容器の外周部に円周方向に沿って所定の間隔で交互に備えるものが、提案されている。また、その容器においては、縦長の断熱空間が、容器の側壁と平板部との間に形成されている。
【０００４】
また、インスタント食品やその他の熱い食品の容器においては、食品の種類により、例えば、内容物がインスタントラーメンの場合、従来の容器の内容量よりも増量させることが要望される場合がある。
【先行技術文献】
【特許文献】
【０００５】
【特許文献１】特開２００１−３２２６１８号公報
【特許文献２】特開２００２−０１９７６０号公報
【特許文献３】特開２００２−１９３２３５号公報
【特許文献４】特開２００６−００１５６９号公報
【特許文献５】特開平１１−０７０９７８号公報
【発明の概要】
【発明が解決しようとする課題】
【０００６】
上述の要望に応じて内容量を従来の容器の内容量よりも増量することにより、容器の外径が従来の容器の外径よりも大となった場合、手の大きさによっては片手で容器を持ち難い場合がある。このような場合、比較的熱い状態となった容器が、手から滑り落ちる虞もある。
以上の問題点を考慮し、本発明は、食品用容器であって、容器の外径が比較的大となった場合であっても、その容器の外周部を容易にかつ確実に片手で持つことができる食品用容器を提供することを目的とする。
【課題を解決するための手段】
【０００７】
上述の目的を達成するために、本発明に係る食品用容器は、開口端を有し内容物を収容する収容部と、収容部を形成する円筒状の側部と、開口端に向かい合う収容部の他端を側部と一体に形成する底部と、を備え、側部の外周部は、指が掛けられる切欠部が少なくとも１箇所に形成される縦リブを円周方向に沿って複数箇所に有することを特徴とする。
【発明の効果】
【０００８】
本発明に係る食品用容器によれば、側部の外周部は、指が掛けられる切欠部が少なくとも１箇所に形成される縦リブを円周方向に沿って複数箇所に有するので、容器の外径が比較的大となった場合であっても、その容器の外周部を容易にかつ確実に片手で持つことができる。
【図面の簡単な説明】
【０００９】
【図１】本発明に係る食品用容器の一例を示す斜視図である。
【図２】図１に示される例における部分断面図を含む正面図である。
【図３】図１に示される例において、二つの容器が互いに積み重ねられた状態を示す断面図である。
【図４】（Ａ）は、図１に示される例における正面図であり、（Ｂ）は、縦リブを展開した状態を示す展開図である。
【図５】（Ａ）は、本発明に係る食品用容器の他の一例を示す正面図であり、（Ｂ）は、縦リブを展開した状態を示す展開図である。
【図６】（Ａ）は、本発明に係る食品用容器のさらなる他の一例を示す正面図であり、（Ｂ）は、縦リブを展開した状態を示す展開図である。
【図７】図１に示される例における容器が片手で把持された状態を示す斜視図である。
【発明を実施するための形態】
【００１０】
図１は、本発明に係る食品用容器の一例の外観を示す。
図１において、容器１０は、例えば、ポリプロピレン（ＰＰ）、ポリエチレン（ＰＥ）、ポリエチレンテフタレート（ＰＥＴ）、及びその他の耐熱性を有する樹脂で一体成形されている。
【００１１】
容器１０は、円錐台形状を逆さまにしたような形状に成形されている。容器１０は、図２に示されるように、所定の食品、例えば、乾燥麺ＦＮ等が入れられる収容部１０Ａを内側に有している。収容部１０Ａは、開口端部１０Ｅを上端に有している。開口端部１０Ｅの直径は、７０ｍｍ〜１５０ｍｍの範囲内にあることが好ましい。直径が７０ｍｍ以上であると、スープ等の食品の容量を十分確保できるという利点がある。直径が１５０ｍｍ以下であると、本発明に係る容器を片手で持つことができるという利点がある。
乾燥麺ＦＮは、例えば、収容部１０Ａにおいて開口端部１０Ｅから所定の距離Ｌａの位置まで収容される。開口端部１０Ｅの周縁には、図示が省略されるシール部材が貼付されるフランジ部１０ＴＷが環状に形成されている。
【００１２】
収容部１０Ａは、０．２ｍｍ〜０．５ｍｍの厚さを有する円筒状の側部１０ＳＷと、側部１０ＳＷの下端を連結する下部１０ＢＷとにより囲まれて形成されている。側部１０ＳＷの厚さが０．２ｍｍ以上であると、容器の成形において樹脂の流動を良好にできるという利点がある。側部１０ＳＷの厚さが０．５ｍｍ以下であると、容器の軽量化を図ることができるという利点がある。
下部１０ＢＷは、図２に示されるように、収容部１０Ａ内に向けて突出する凸面状に形成されている。下部１０ＢＷの下端面から開口端部１０Ｅまでの高さは、６０ｍｍ〜１５０ｍｍの範囲内にあることが好ましい。高さが６０ｍｍ以上であると、スープ等の食品の容量を十分確保できるという利点がある。高さが１５０ｍｍ以下であると、本発明に係る容器に食品が入っても重くなり過ぎることがないので、容器を片手で持つことができるという利点がある。
【００１３】
側部１０ＳＷの外周部には、図１に示されるように、２種類の縦リブ１０ｒａｉ、１０ｒｂｉ（ｉ＝１〜ｎ，ｎは正の整数）と、縦リブ１０ｒａｉ、１０ｒｂｉに交差し円周方向に全周にわたり延在する横リブ１０Ｂ，１０Ｃ，１０Ｄとが隆起するように形成されている。縦リブ１０ｒａｉ、１０ｒｂｉは、円周方向に沿って所定の間隔で形成され互いに形状が異なる。側部１０ＳＷの補強の役目を果たす横リブ１０Ｂ，１０Ｃ，１０Ｄは、それぞれ、図２に示されるように、所定の間隔で外部に向けて突出する段差部とされる。横リブ１０Ｂは、例えば、開口端部１０Ｅから所定の距離Ｌｂの位置に形成されている。横リブ１０Ｂの位置が、例えば、乾燥麺ＦＮにとって必要とされるお湯の注ぎ込む量の目安とされる。
【００１４】
縦リブ１０ｒａｉ、１０ｒｂｉは、それぞれ、図２に示される直交座標におけるＺ座標軸、即ち、容器１０の軸線方向に沿ってフランジ部１０ＴＷ近傍から下部１０ＢＷまで延在している。なお、直交座標におけるＸ座標軸は、下部１０ＢＷの下端面に対し平行に設定されている。３本の縦リブ１０ｒａｉと３本の縦リブ１０ｒｂｉとは、交互に形成されている。従って、図４（Ａ）および（Ｂ）に示されるように、連続して３本形成される縦リブ１０ｒａｉの両脇には、それぞれ、縦リブ１０ｒｂｉが形成されている。縦リブ１０ｒａｉ、１０ｒｂｉの総数は、１８〜７２本の範囲内にあることが好ましい。縦リブ１０ｒａｉ、１０ｒｂｉの総数が１８本以上であると、切欠部の群を、容器の全周に多く形成できる、また、容器の成形において樹脂の流動を良好にできるという利点がある。縦リブ１０ｒａｉ、１０ｒｂｉの総数が７２本以下であると、樹脂材料の節約が図れるという利点がある。
【００１５】
３本の縦リブ１０ｒａｉは、図２に示されるように、それぞれ、互いに同一の所定の厚さの薄板の形状を有し軸線方向に延びている。また、３本の縦リブ１０ｒｂｉは、互いに同一の所定の厚さの薄板の形状を有し軸線方向に延びている。縦リブ１０ｒａｉと縦リブ１０ｒｂｉは、厚さが０．４ｍｍ〜１．０ｍｍの範囲内にあることが好ましい。厚さが０．４ｍｍ以上であると、容器の成形において樹脂の流動を良好にできるという利点がある。厚さが１．０ｍｍ以下であると、樹脂材料の節約が図れるという利点がある。
【００１６】
縦リブ１０ｒａｉは、図２に示されるように、側部１０ＳＷの外周面から所定の高さｔａだけ隆起している。  同様に、縦リブ１０ｒｂｉは、側部１０ＳＷの外周面から所定の高さｔａだけ隆起している。縦リブ１０ｒａｉと縦リブ１０ｒｂｉの高さｔａは、２ｍｍ〜５ｍｍの範囲内にあることが好ましい。高さｔａが２ｍｍ以上であると、容器内の食品が熱くても容器の断熱性を確保できるという利点がある。高さｔａが５ｍｍ以下であると、樹脂材料の節約が図れるという利点がある。
【００１７】
縦リブ１０ｒａｉは、Ｚ座標軸に対し所定のテーパ角度αを有している。同様に、縦リブ１０ｒｂｉは、Ｚ座標軸に対し所定のテーパ角度αを有している。縦リブ１０ｒａｉと縦リブ１０ｒｂｉのテーパ角度αは、４°〜１２°の範囲内にあることが好ましい。テーパ角度αが４°以上であると、空の容器を積み重ねることが容易になるという利点がある。テーパ角度αが１２°以下であると、容器の開口端部の直径が大きくなり過ぎるのを抑制でき、容器を片手で持つことができるという利点がある。
【００１８】
縦リブ１０ｒａｉは、所定の間隔をもって２箇所に指が掛けられる切欠部１２を有している。切欠部１２は、指の一部が掛る程度の曲面を有した形状とされる。この切欠部１２において、最大深さの部分は開口端部１０Ｅ側に片寄って形成されている。切欠部１２の最大深さＤｐは、１ｍｍ〜４ｍｍの範囲内にあることが好ましい。最大深さＤｐが１ｍｍ〜４ｍｍの範囲内にあると、最大深さの部分に指の腹を当てて、容器をしっかりと持つことができるという利点がある。
【００１９】
切欠部１２における軸線方向に沿った長さＬｃは、２０ｍｍ〜４０ｍｍの範囲内にあることが好ましい。長さＬｃが２０ｍｍ以上であると、大きな指でも指の腹を切欠部にフィットさせることができるという利点がある。長さＬｃが４０ｍｍ以下であると、切欠部の最大深さの部分に指の腹を探し当てることが容易になるという利点がある。
【００２０】
切欠部１２の曲面は、３０ｍｍ以下の曲率半径Ｒａを有していることが好ましい。曲率半径Ｒａが３０ｍｍ以下であると、最大深さの部分の開口端部側の段差に指の腹が強く掛かることにより、容器が下方向に滑り落ちることなく、確実に把持することができるという利点がある。なお、切欠部１２はそのような曲面が形成されなくともよい。例えば、角部を有する切欠部であってもよい。
【００２１】
切欠部１２は、肉厚ｔｂが１ｍｍ以上であることが好ましい。肉厚ｔｂが１ｍｍ以上であると、容器内の食品が熱くても容器の断熱性を確保できるという利点がある。
【００２２】
切欠部１２の曲面におけるＺ座標軸に対しなす角度βは、０．５°以下であることが好ましい。角度βが０．５°以下であると、成形された容器を金型から離型するのが容易であるという利点がある。
【００２３】
なお、縦リブ１０ｒｂｉは、縦リブ１０ｒａｉと比較して切欠部を有していない。
【００２４】
斯かる構成を有する容器１０と同一の構成を有する他の容器１０´とが、図３に示されるように、積み重ねられる場合、容器１０´の下部１０´ＢＷの下端部が容器１０の横リブ１０Ｄの内周部に当接するものとされる。その際、容器１０´の縦リブ１０´ｒａｉと容器１０の開口端部１０Ｅの周縁との間、容器１０´の縦リブ１０´ｒａｉと容器１０の横リブ１０Ｂに対応する内周部との間、容器１０´の縦リブ１０´ｒａｉと容器１０の横リブ１０Ｃに対応する内周部との間、容器１０´の縦リブ１０´ｒａｉと容器１０の横リブ１０Ｄに対応する内周部との間にそれぞれ、隙間Ｇｅ、Ｇｃ、Ｇｂ、Ｇａが形成される。これにより、容器１０の内周部が傷つけられることなく、しかも、容器１０´の容器１０に対する取り外しが容易となる。
【００２５】
従って、斯かる構成において、図７に示されるように、容器１０が片手の親指ＴＦと他の指により切欠部１２で容器が保持される場合、親指ＴＦおよび他の指が縦リブ１０ｒａｉの切欠部１２（Ａ部に拡大されて示される）に掛けられることにより、容器１０が滑り落ちることなく、確実に把持することができる。親指ＴＦおよび他の指が掛けられている、縦リブ１０ｒａｉの切欠部１２のうち最も手のひら側に存在する切欠部１２は、縦リブ１０ｒｂｉと隣接している。この縦リブ１０ｒｂｉには切欠部がない。この結果、隣り合った縦リブ１０ｒａｉと縦リブ１０ｒｂｉには、切欠部１２の深さ分の段差ができている。この段差が指の腹に強く掛かることにより、容器１０が横方向に滑ることなく、確実に把持することができる。また、縦リブ１０ｒａｉの切欠部１２の最大深さＤｐの部分は、容器１０の開口端部１０Ｅ側に片寄って形成されている。この結果、最大深さＤｐの部分の開口端部１０Ｅ側には、最大深さＤｐ分の段差ができている。この段差が指の腹に強く掛かることにより、容器１０が下方向に滑り落ちることなく、確実に把持することができる。
【００２６】
図５（Ａ）および（Ｂ）は、本発明に係る食品用容器の他の一例を示す。
図４（Ａ）および（Ｂ）に示される例においては、容器１０の側部１０ＳＷが２種類の縦リブ１０ｒａｉ、１０ｒｂｉを有するものとされるが、図５（Ａ）および（Ｂ）に示される例は、容器２０の側部２０ＳＷが３種類の縦リブ２０ｒａｉ、２０ｒｂｉ、および、２０ｒｃｉを有するものとされる。
【００２７】
図５（Ａ）において、容器２０は、容器１０の材質と同様な材質により、円錐台形状を逆さまにしたような形状に成形されている。また、容器２０も、容器１０と同様な大きさに成形され、所定の食品が入れられる収容部を内側に有している。
【００２８】
側部２０ＳＷの外周部には、３種類の縦リブ２０ｒａｉ、２０ｒｂｉ、および、２０ｒｃｉ（ｉ＝１〜ｎ，ｎは正の整数）が形成されている。縦リブ２０ｒａｉ、２０ｒｂｉ、および、２０ｒｃｉは、円周方向に沿って所定の間隔で形成され互いに形状が異なる。
縦リブ２０ｒａｉ、２０ｒｂｉおよび２０ｒｃｉは、それぞれ、容器２０の軸線方向に沿ってフランジ部２０ＴＷ近傍から下部２０ＢＷまで延在している。２本の同一の縦リブ２０ｒａｉおよび１本の縦リブ２０ｒｃｉと、３本の同一の縦リブ１０ｒｂｉとが交互に形成されている。
３本の縦リブ２０ｒｂｉは、それぞれ、互いに同一の所定の厚さの薄板の形状を有し軸線方向に延びている。縦リブ２０ｒｂｉは、軸線に対し所定のテーパ角度を有し後述するような切欠部を有していないものとされる。
【００２９】
２本の縦リブ２０ｒａｉは、互いに同一の所定の厚さ（０．４ｍｍ〜１．０ｍｍの範囲内にあることが好ましい。）の薄板の形状を有し軸線方向に延びている。縦リブ２０ｒａｉは、側部２０ＳＷの外周面から所定の高さ（２ｍｍ〜５ｍｍの範囲内にあることが好ましい。）隆起している。縦リブ２０ｒａｉは、軸線方向に対し所定のテーパ角度を有している。テーパ角度は、４°〜１２°の範囲内にあることが好ましい。縦リブ２０ｒａｉは、所定の間隔をもって２箇所に切欠部２２ＤＡを有している。切欠部２２ＤＡは、指の一部が掛る程度の曲面を有した形状とされる。切欠部２２ＤＡの最大深さＤｐは、１ｍｍ〜４ｍｍの範囲内にあることが好ましい。切欠部２２ＤＡにおける軸線方向に沿った長さは、２０ｍｍ〜４０ｍｍの範囲内にあることが好ましい。
【００３０】
２本の縦リブ２０ｒａｉ相互間に形成される１本の縦リブ２０ｒｃｉは、所定の厚さ（０．４ｍｍ〜１．０ｍｍの範囲内にあることが好ましい。）の薄板の形状を有し軸線方向に延びている。縦リブ２０ｒｃｉは、側部２０ＳＷの外周面から所定の高さ（２ｍｍ〜５ｍｍの範囲内にあることが好ましい。）隆起している。縦リブ２０ｒｃｉは、軸線方向に対し所定のテーパ角度を有している。テーパ角度は、４°〜１２°の範囲内にあることが好ましい。縦リブ２０ｒｃｉは、所定の間隔をもって２箇所に切欠部２２ＤＢを有している。切欠部２２ＤＢは、指の一部が掛る程度の曲面を有した形状とされる。切欠部２２ＤＢの最大深さＤｐは、１ｍｍ〜４ｍｍの範囲内にあることが好ましい。切欠部２２ＤＢの最大深さは、切欠部２２ＤＡの最大深さよりも大きな値に設定される。切欠部２２ＤＢにおける軸線方向に沿った長さは、２０ｍｍ〜４０ｍｍの範囲内にあることが好ましい。
図５（Ａ）および（Ｂ）に示される例において、切欠部２２ＤＢの最大深さが切欠部２２ＤＡの最大深さよりも大きな値に設定されたことを除き、形状及び寸法、並びに寸法の好ましい範囲は、図４（Ａ）および（Ｂ）に示される例と同様である。
【００３１】
斯かる構成においても、図４（Ａ）および（Ｂ）に示される例と同様な作用効果を奏する。また、切欠部２２ＤＢの最大深さが切欠部２２ＤＡの最大深さよりも大きな値に設定されるので、切欠部の最大深さの部分に指の腹をよりフィットさせることができ、容器が滑り落ちることなく、確実に把持することができるという効果がある。
【００３２】
図６（Ａ）および（Ｂ）は、本発明に係る食品用容器のさらなる他の一例を示す。
図４（Ａ）および（Ｂ）に示される例においては、容器１０の側部１０ＳＷにおける２種類の縦リブ１０ｒａｉ、１０ｒｂｉのうちの一方が切欠部１２を２箇所に有するものとされるが、図６（Ａ）および（Ｂ）に示される例は、容器３０の側部３０ＳＷに２種類の縦リブ３０ｒａｉ、３０ｒｂｉがそれぞれ、切欠部を１箇所に有するものとされる。
【００３３】
図６（Ａ）において、容器３０は、容器１０の材質と同様な材質により、円錐台形状を逆さまにしたような形状に成形されている。また、容器３０も、容器１０と同様な大きさに成形され、所定の食品が入れられる収容部を内側に有している。
【００３４】
側部３０ＳＷの外周部には、２種類の縦リブ３０ｒａｉ、および、３０ｒｂｉ（ｉ＝１〜ｎ，ｎは正の整数）と、縦リブ３０ｒａｉ、および、３０ｒｂｉに交差し円周方向に全周にわたり延在する３箇所の横リブとが隆起するように形成されている。縦リブ３０ｒａｉ、および、３０ｒｂｉは、円周方向に沿って所定の間隔で形成され互いに形状が異なる。
【００３５】
縦リブ３０ｒａｉ、および、３０ｒｂｉは、それぞれ、容器３０の軸線方向に沿ってフランジ部３０ＴＷ近傍から下部３０ＢＷまで延在している。３本の同一の縦リブ３０ｒａｉと、３本の同一の縦リブ３０ｒｂｉとが、交互に形成されている。
【００３６】
３本の縦リブ３０ｒａｉは、互いに同一の所定の厚さ（０．４ｍｍ〜１．０ｍｍの範囲内にあることが好ましい。）の薄板の形状を有し軸線方向に延びている。縦リブ３０ｒａｉは、側部３０ＳＷの外周面から所定の高さ（２ｍｍ〜５ｍｍの範囲内にあることが好ましい。）隆起している。縦リブ３０ｒａｉは、軸線方向に対し所定のテーパ角度を有している。テーパ角度は、４°〜１２°の範囲内にあることが好ましい。各縦リブ３０ｒａｉは、切欠部３２Ａを上方の２本の横リブ相互間に対応する位置に有している。切欠部３２Ａは、指の一部が掛る程度の曲面を有した形状とされる。切欠部３２Ａの最大深さＤｐは、１ｍｍ〜４ｍｍの範囲内にあることが好ましい。切欠部３２Ａにおける軸線方向に沿った長さは、２０ｍｍ〜４０ｍｍの範囲内にあることが好ましい。
【００３７】
３本の縦リブ３０ｒｂｉは、互いに同一の所定の厚さ（０．４ｍｍ〜１．０ｍｍの範囲内にあることが好ましい。）の薄板の形状を有し軸線方向に延びている。縦リブ３０ｒｂｉは、側部３０ＳＷの外周面から所定の高さ（２ｍｍ〜５ｍｍの範囲内にあることが好ましい。）隆起している。縦リブ３０ｒｂｉは、軸線方向に対し所定のテーパ角度を有している。テーパ角度は、４°〜１２°の範囲内にあることが好ましい。各縦リブ３０ｒｂｉは、縦リブ３０ｒａｉと異なり、切欠部３２Ｂを下方の２箇所の横リブ相互間に対応する位置に有している。切欠部３２Ｂは、指の一部が掛る程度の曲面を有した形状とされる。切欠部３２Ｂの最大深さＤｐは、１ｍｍ〜４ｍｍの範囲内にあることが好ましい。切欠部３２Ｂにおける軸線方向に沿った長さは、２０ｍｍ〜４０ｍｍの範囲内にあることが好ましい。
【００３８】
図６（Ａ）および（Ｂ）に示される例において、３本の縦リブ３０ｒａｉと、３本の縦リブ３０ｒｂｉとが交互に形成され、縦リブ３０ｒａｉは切欠部３２Ａを上方の位置に有し、縦リブ３０ｒｂｉは切欠部３２Ｂを下方の位置に有していることを除き、形状及び寸法、並びに寸法の好ましい範囲は、図４（Ａ）および（Ｂ）に示される例と同様である。
【００３９】
斯かる構成においても、図４（Ａ）および（Ｂ）に示される例と同様な作用効果を奏する。また、３本の縦リブ３０ｒａｉと、３本の縦リブ３０ｒｂｉとが交互に形成され、縦リブ３０ｒａｉは切欠部３２Ａを上方の位置に有し、縦リブ３０ｒｂｉは切欠部３２Ｂを下方の位置に有しているので、容器の横方向において指の腹を当てる切欠部群の選択の自由度が増す、また両手で容器を持つとき等に持ちやすいという効果がある。
【００４０】
上述の例においては、縦リブの切欠部が横方向に３つ連続したものを説明したが、この例に限定されるものではない。
横方向に連続する切欠部の数は２〜６つの範囲内にあることが好ましい。横方向に連続する切欠部の数が２つ以上であると、大きな指でも指の腹を切欠部にフィットさせることができるという利点がある。横方向に連続する切欠部の数が６つ以下であると、横方向に連続する切欠部の群を、容器の全周に多く形成できるという利点がある。なお、横方向に連続する切欠部の群が、容器の全周にわたり複数形成される場合、それぞれの切欠部の数は互いに拘束されるものではない。
【００４１】
上述の例においては、切欠部群の隣に切欠部を有しない部分が横方向に３つ連続したものを説明したが、この例に限定されるものではない。
横方向に連続する切欠部を有しない部分の数は１つ以上であることが好ましい。横方向に連続する切欠部を有しない部分の数が１つ以上であると、切欠部を有しない部分と、これに隣り合った切欠部との間に切欠部の深さ分の段差が形成され、この段差が指の腹に強く掛かることにより、容器が横方向に滑ることなく、確実に把持することができるという利点がある。なお、横方向に連続する切欠部を有しない部分の群が、容器の全周にわたり複数形成される場合、それぞれの切欠部を有しない部分の数は互いに拘束されるものではない。
【００４２】
上述の例においては、切欠部の群が軸方向に２段存在するものを説明したが、この例に限定されるものではない。
軸方向に存在する切欠部の群は１段以上であることが好ましい。軸方向に存在する切欠部の群が１段以上であると、指の腹が切欠部に掛けられることにより、容器が滑り落ちることなく、確実に把持することができるという利点がある。なお、軸方向に存在する切欠部の群が複数段形成される場合、それぞれの切欠部の数は互いに拘束されるものではなく、また切欠部を有しない部分の数も互いに拘束されるものではない。また、軸方向に存在する切欠部の群が複数段形成される場合、それぞれの切欠部の群の位置は互いに拘束されるものではなく、また切欠部を有しない部分の群の位置も互いに拘束されるものではない。
【００４３】
なお、切欠部は、容器の全周に渡って、横方向に連続して設けてもよい。容器の全周に渡って、横方向に連続して切欠部を設けると、最大深さの部分の開口端部側に形成される段差が指の腹に強く掛かることにより、容器が下方向に滑り落ちることなく、確実に把持することができる、また、容器の全周に渡ってどこでも指の腹を当てることができるという利点がある。
【００４４】
また、容器１０、２０、および、３０の外周部は、シュリンクフィルム、断熱シート等で覆われてもよい。シュリンクフィルム、断熱シート等の表面には、印刷を施すことができる。
また、容器１０、２０、および、３０の用途としては、ラーメン、スープ等のインスタント食品やその他の熱い食品の容器に用いることができる。
【符号の説明】
【００４５】
１０，２０，３０      容器
１０ＳＷ，２０ＳＷ，３０ＳＷ      側部
１０ｒａｉ，２０ｒａｉ，３０ｒａｉ，３０ｒｂｉ      縦リブ
１０Ｂ，１０Ｃ，１０Ｄ      横リブ
１２    切欠部
２２ＤＡ，２２ＤＢ，３２Ａ，３２Ｂ      切欠部
【図１】
2014034419.tif 000003
【図２】
2014034419.tif 000004
【図３】
2014034419.tif 000005
【図４】
2014034419.tif 000006
【図５】
2014034419.tif 000007
【図６】
2014034419.tif 000008
【図７】
2014034419.tif 000009